(57)【特許請求の範囲】
【請求項１】
ユーザ機器（ＵＥ）において決定されるアップリンクチャネル状態およびアップリンクシステム資源の少なくとも１つの過去の実績（performance）を前記ＵＥにおいて追跡することと、
前記過去の実績に基づいて完全なデータ伝送（completed data transmission）の見込みを予測して、該予測を表す予測係数を生成することと、
前記予測係数を閾値と比較することと、
前記予測係数が前記閾値を超える場合には、アップリンク制御チャネルを用いて長プリアンブルを前記ＵＥから送信することと、
前記予測係数が前記閾値を超えない場合には、アップリンク制御チャネルを用いて短プリアンブルを前記ＵＥから送信することと、
を含む、アップリンクでデータを送信する方法。
【請求項２】
前記アップリンクチャネル状態は、定義された期間中の前記アップリンク上での先行のデータ伝送の肯定応答または否定応答の過去の実績を含む、請求項１に記載の方法。
【請求項３】
前記アップリンクシステム資源は、定義された期間中の前記アップリンク上での無線システムネットワーク資源の許可（grant）の過去の実績を含む、請求項１に記載の方法。
【請求項４】
前記過去の実績に基づいて完全なデータ伝送の前記見込みを予測することは、送信されるべきデータが存在するときにのみ予測することをさらに含む、請求項１に記載の方法。
【請求項５】
前記データの優先度の値に基づいて前記予測を重み付けすることをさらに含む、請求項１に記載の方法。
【請求項６】
前記データの量の値に基づいて前記予測を重み付けすることをさらに含む、請求項１に記載の方法。
【請求項７】
長プリアンブルを送信することは、前記予測が前記閾値を超えなくなる場合には、前記長プリアンブルの送信を中断することをさらに含む、請求項１に記載の方法。
【請求項８】
前記予測が前記閾値を超えない場合には、アップリンク制御チャネルを用いて短プリアンブルを送信することをさらに含む、請求項１に記載の方法。
【請求項９】
前記アップリンク制御チャネルは、第３世代パートナシッププロジェクト（３ＧＰＰ）システム内の専用物理制御チャネル（ＤＰＣＣＨ）である、請求項１に記載の方法。
【請求項１０】
前記長プリアンブルは、期間が４，７，または１５伝送時間間隔（ＴＴＩｓ）である、請求項１に記載の方法。
【請求項１１】
ユーザ機器（ＵＥ）において決定されるアップリンクチャネル状態およびアップリンクシステム資源の少なくとも１つの過去の実績を前記ＵＥにおいて追跡し、並びに、前記過去の実績に基づいて完全なデータ伝送の見込みを予測して、該予測を表す予測係数を生成し、前記予測係数を閾値と比較するように構成された少なくとも１つのプロセッサと、
前記予測係数が前記閾値を超える場合には、アップリンク制御チャネルを用いて長プリアンブルを前記ＵＥから送信し、前記予測係数が閾値を超えない場合には、アップリンク制御チャネルを用いて短プリアンブルを前記ＵＥから送信するための送信機と、
を含む、アップリンクでデータを送信するための装置。
【請求項１２】
定義された期間中の前記アップリンク上での先行のデータ伝送の肯定応答または否定応答の過去の実績を含む、前記アップリンクチャネル状態を格納するためのメモリーをさらに含む、請求項１１に記載の装置。
【請求項１３】
定義された期間中の前記アップリンク上での無線システムネットワーク資源の許可の過去の実績を格納するためのメモリーをさらに含む、請求項１１に記載の装置。
【請求項１４】
前記少なくとも１つのプロセッサが、送信されるべきデータが存在するときのみ予測する、請求項１１に記載の装置。
【請求項１５】
前記少なくとも１つのプロセッサは、前記データの優先度の値に基づいて前記予測をさらに重み付けする、請求項１１に記載の装置。
【請求項１６】
前記少なくとも１つのプロセッサは、前記データの量の値に基づいて前記予測を重み付けする、請求項１１に記載の装置。
【請求項１７】
前記予測が前記閾値を超えなくなる場合には、前記送信機が前記長プリアンブルの送信を中断する、請求項１１に記載の装置。
【請求項１８】
前記送信機は、前記予測が前記閾値を超えない場合には、アップリンク制御チャネルを用いて短プリアンブルをさらに送信する、請求項１１に記載の装置。
【請求項１９】
ユーザ機器（ＵＥ）において決定されるアップリンクチャネル状態およびアップリンクシステム資源の少なくとも１つの過去の実績を前記ＵＥにおいて追跡するための手段と、
前記過去の実績に基づいて、完全なデータ伝送の見込みを予測して、該予測を表す予測係数を生成するための手段と、
前記予測係数を閾値と比較するための手段と、
前記予測係数が前記閾値を超える場合には、アップリンク制御チャネルを用いて長プリアンブルを前記ＵＥから送信するための手段と、
前記予測係数が閾値を超えない場合には、アップリンク制御チャネルを用いて短プリアンブルを前記ＵＥから送信するための手段と、
を含む、アップリンクでデータを送るための装置。
【請求項２０】
前記アップリンクチャネル状態は、定義された期間中の前記アップリンク上での先行のデータ伝送の肯定応答または否定応答の過去の実績を含む、請求項１９に記載の装置。
【請求項２１】
前記アップリンクシステム資源は、定義された期間中の前記アップリンク上での無線システムネットワーク資源の許可の過去の実績を含む、請求項１９に記載の装置。
【請求項２２】
前記過去の実績に基づいて、完全なデータ伝送の前記見込みを予測するための手段は、送信されるべきデータが存在するときにのみ予測するための手段をさらに含む、請求項１９に記載の装置。
【請求項２３】
前記データの優先度の値に基づいて前記予測を重み付けするための手段をさらに含む、請求項１９に記載の装置。
【請求項２４】
前記データの量の値に基づいて前記予測を重み付けするための手段をさらに含む、請求項１９に記載の装置。
【請求項２５】
長プリアンブルを送信するための前記手段は、前記予測が前記閾値を超えなくなる場合には、前記長プリアンブルの送信を中断するための手段をさらに含む、請求項１９に記載の装置。
【請求項２６】
前記予測が前記閾値を超えない場合には、アップリンク制御チャネルを用いて短プリアンブルを送信するための手段をさらに含む、請求項１９に記載の装置。
【請求項２７】
アップリンクでデータを送信する方法を実行するためのプロセッサ実行可能命令を含むプロセッサ可読媒体であって、前記方法は、
ユーザ機器（ＵＥ）において決定されるアップリンクチャネル状態およびアップリンクシステム資源の少なくとも１つの過去の実績を前記ＵＥにおいて追跡するステップと、
前記過去の実績に基づいて完全なデータ伝送の見込みを予測して、該予測を表す予測係数を生成するステップと、
前記予測係数が前記閾値を超える場合には、アップリンク制御チャネルを用いて長プリアンブルを前記ＵＥから送信するステップと、
前記予測係数が閾値を超えない場合には、アップリンク制御チャネルを用いて短プリアンブルを前記ＵＥから送信するステップと、
を含む、プロセッサ可読媒体。
【請求項２８】
前記アップリンクチャネル状態は、定義された期間中の前記アップリンク上での先行のデータ伝送の肯定応答または否定応答の過去の実績を含む、請求項２７に記載のプロセッサ可読媒体。
【請求項２９】
前記アップリンクシステム資源は、定義された期間中の前記アップリンク上での無線システムネットワーク資源の許可の過去の実績を含む、請求項２７に記載のプロセッサ可読媒体。
【請求項３０】
前記過去の実績に基づいて、完全なデータ伝送の前記見込みを予測するための前記プロセッサ実行可能命令は、送信されるべきデータが存在するときにのみ予測するためのプロセッサ実行可能命令をさらに含む、請求項２７に記載のプロセッサ可読媒体。
【請求項３１】
前記データの優先度の値に基づいて前記予測を重み付けするためのプロセッサ実行可能命令をさらに含む、請求項２７に記載のプロセッサ可読媒体。
【請求項３２】
前記データの量の値に基づいて前記予測を重み付けするためのプロセッサ実行可能命令をさらに含む、請求項２７に記載のプロセッサ可読媒体。
【請求項３３】
長プリアンブルを送信するための前記プロセッサ実行可能命令は、前記予測が前記閾値を超えなくなる場合には、前記長プリアンブルの送信を中断するためのプロセッサ実行可能命令をさらに含む、請求項２７に記載のプロセッサ可読媒体。
【発明の詳細な説明】
【技術分野】
【０００１】
本開示は一般に通信に関し、より詳細には、無線通信ネットワークにおける不連続データの送信および受信のための技法に関する。
【背景技術】
【０００２】
無線通信ネットワークにおける無線デバイス（例えば、携帯電話）は、いかなる時点でも稼働（active）および待機（idle）のような、いくつかの動作（operating）モードの１つで動作し得る。稼働モード（active mode）において、無線デバイスは、ネットワークによって無線資源を割り当てられ、例えば音声またはデータ呼出のために、データをネットワークと能動的に交換し得る。待機モード（idle mode）において、無線デバイスは、無線資源を割り当てられ得ず、ネットワークによって送信されるオーバヘッドチャネルを監視していることがあり得る。無線デバイスは無線デバイスのデータ要求に基づいて必要に応じて稼働モードと待機モードの間を遷移し得る。例えば、無線デバイスは、送信または受信するデータがある時はいつでも稼働モードに遷移でき、ネットワークとのデータ交換の終了後は待機モードに遷移し得る。
【０００３】
無線デバイスは動作モード間を遷移するためにシグナリングをネットワークと交換し得る。無線デバイスが動作モードに遷移され、最終的にはネットワーク資源による拒否のためにデータ伝送が妨げられることになる場合、シグナリングはネットワーク資源を消費し、無線デバイスの不必要な電力を消費する。
【０００４】
したがって、当該技術には、無線デバイスが待機状態から稼働状態に遷移するべきかどうかを確率的に決定するための技法に対する要求がある。
【発明の概要】
【０００５】
無線通信システムにおける不連続伝送を制御するための技法がここに説明される。一実施形態において、アップリンクでデータを送信する方法は、少なくとも１つのアップリンクチャネル状態およびアップリンクシステム資源の過去の実績（performance）を追跡することを含む。完全なすなわち成功したデータ伝送（completed or successful data transmission）の見込み予測が実行される。予測が閾値を超えると、長プリアンブルがアップリンク制御チャネルを用いて送信される。なお、下記において「完全データ伝送」という文言は上記の「完全なすなわち成功したデータ伝送」を意味する。
【０００６】
別の実施形態において、アップリンクでデータを送信するための装置が開示される。本装置は、アップリンクチャネル状態およびアップリンクシステム資源の少なくとも１つの過去の実績を追跡するための少なくとも１つのプロセッサを含む。プロセッサは、過去の実績に基づいて、完全データ伝送の見込みを予測するようにさらに構成される。本装置は、予測が閾値を超えた場合に、長プリアンブルをアップリンク制御チャネルを用いて送信するための送信機をさらに含む。
【０００７】
他の実施形態は、アップリンクチャネル状態およびアップリンクシステム資源の少なくとも１つの過去の実績を追跡することを含むアップリンクでデータを送信する方法を実行するため、並びに、過去の実績に基づいて、完全データ伝送の見込みを予測するための手段およびプロセッサ可読媒体を含む。次に、予測が閾値を超えると、長プリアンブルがアップリンク制御チャネルを用いて送信される。
【図面の簡単な説明】
【０００８】
【図１】図１は、種々の実施形態に従う無線通信ネットワークを例示する。
【図２】図２は、データおよびシグナリング伝送のレイヤ構造を例示する。
【図３】図３は、種々の実施形態による種々の伝送信号のフレームシーケンスを例示する。
【図４】図４は、種々の実施形態によるアップリンクにおけるデータ送信のための方法のフローチャートである。
【図５】図５は、種々の実施形態によるアップリンクでデータ伝送するための、ＵＥのような装置のブロック図を例示する。
【詳細な説明】
【０００９】
「例示的」（exemplary）という言葉は、ここでは「例、実例、または例証として役立つこと」を意味するために用いられる。ここで「例示的」として説明されたいかなる実施形態も、必ずしも他の実施形態より好ましいまたは有利であると解釈されるべきではない。
【００１０】
ここで説明される技法は、符号分割多元接続（ＣＤＭＡ）ネットワーク、時分割多元接続（ＴＤＭＡ）ネットワーク、周波数分割多元接続（ＦＤＭＡ）ネットワーク、および直交ＦＤＭＡ（ＯＦＤＭＡ）ネットワークのような種々の無線通信ネットワークに用いられ得る。用語「ネットワーク」および「システム」はしばしば互換性を持って用いられる。ＣＤＭＡネットワークはＷ-ＣＤＭＡ、ｃｄｍａ２０００、その他のような無線技術を実施し得る。ｃｄｍａ２０００はＩＳ-２０００、ＩＳ-８５６およびＩＳ-９５標準をカバーする。ＴＤＭＡネットワークは広域自動車通信システム（ＧＳＭ（登録商標））のような無線技術を実施し得る。これらの種々の無線技術および標準は当業者には既知である。Ｗ-ＣＤＭＡおよびＧＳＭ（登録商標）は「第３世代パートナシッププロジェクト」（３ＧＰＰ）という名の組織からの文書に記載されている。ｃｄｍａ２０００は「第３世代パートナシッププロジェクト２」（３ＧＰＰ２）という名の組織からの文書に記載されている。明快さのために、Ｗ-ＣＤＭＡを利用するユニバーサル移動体通信システム（ＵＭＴＳ）に対する技法を以下に説明する。ＵＭＴＳ用語は以下の説明の多くの場所で用いられる。
【００１１】
図１は、ＵＭＴＳネットワークであり得る無線通信ネットワーク１００を例示する。無線ネットワーク１００は３ＧＰＰのユニバーサル地上無線アクセスネットワーク（ＵＴＲＡＮ）とも呼ばれ得る。無線ネットワーク１００は、任意の数のユーザ機器（ＵＥ）に対する通信をサポートする任意の数のノードＢを含み得る。簡単のために、図１には３個のノードＢ １１０ａ、１１０ｂおよび１１０ｃ、並びに１つのＵＥ１２０のみが示されている。
【００１２】
ノードＢは、一般に、ＵＥと交信する固定局であり、また発展型ノードＢ（ｅノードＢ）、基地局、アクセスポイントなどとも呼ばれ得る。各ノードＢは、特定の地理的領域に通信カバレッジを提供し、そのカバレッジエリア内にあるＵＥに対して通信をサポートする。ノードＢのカバレッジエリアは複数（例えば３つ）のより小さいエリアに分割され、各小エリアはそれぞれのノードＢサブシステムによってサービスを受け得る。用語「セル」は、この用語が用いられる文脈に従って、ノードＢの最小のカバレッジエリアおよび／またはこのカバレッジエリアをサービスするシステムを指すことが可能である。図１に示す例において、ノードＢ  １１０ａはセルＡ１、Ａ２、およびＡ３をサービスし、ノードＢ  １１０ｂはセルＢ１、Ｂ２、およびＢ３をサービスし、ノードＢ  １１０ｃはセルＣ１、Ｃ２、およびＣ３をサービスする。ノードＢは同期してまたは非同期で動作され得る。同期ネットワークにおいては、複数のノードＢのタイミングは基準時間（例えばＧＰＳ時間）に揃えられ得る。非同期ネットワークにおいては、各ノードＢの複数のセルのタイミングだけが揃えられ、異なるノードＢのタイミングは揃えられないことがあり得る。
【００１３】
一般に、任意の数のＵＥが、無線ネットワーク内にわたって分散され得るし、各ＵＥは静止または移動のいずれかであり得る。また、ＵＥ１２０は無線デバイス、移動局、端末、アクセス端末、加入者ユニット、局などと呼ばれ得る。ＵＥ１２０は携帯電話、携帯情報端末（ＰＤＡ）、無線デバイス、ハンドヘルドデバイス、無線モデム、モデムカード、ラップトップコンピュータなどとも呼ばれ得る。ＵＥ１１０はいかなる時点でもダウンリンクおよびアップリンクでゼロ以上のノードＢと交信し得る。ダウンリンク（または、順方向リンク）はノードＢからＵＥへの通信リンクを指し、アップリンク（または、逆方向リンク）はＵＥからノードＢへの通信リンクを指す。
【００１４】
無線ネットワーク１００は３ＧＰＰで説明されているような他のネットワークエンティティを含み得る。アクセスゲートウェイ１３０は、ノードＢに接続し、ノードＢに調整および制御を提供し得る。また、アクセスゲートウェイ１３０は、ＵＥに対する通信サービス、（例えばパケットデータ）、ボイスオーバーＩＰ（ＶｏＩＰ）、ビデオ、通報、および／または他のサービスをサポートし得る。アクセスゲートウェイ１３０は、単一のネットワークエンティティまたはネットワークエンティティの集合であり得る。例えば、アクセスゲートウェイ１３０は、１つ以上の無線ネットワーク制御器（ＲＮＣ）、サービスＧＰＲＳサポートノード（ＳＧＳＮ）、およびゲートウェイＧＰＲＳサポートノード（ＧＧＳＮ）を含み得る。これらは当業者には既知である。アクセスゲートウェイ１３０は、パケット経路選定、ユーザ登録、移動性管理、その他のような種々の機能をサポートするネットワークエンティティを含み得るコアネットワークに接続し得る。
【００１５】
３ＧＰＰリリース５以降は高速ダウンリンクパケットアクセス（ＨＳＤＰＡ）をサポートする。３ＧＰＰリリース６および７以降は高速アップリンクパケットアクセス（ＨＳＵＰＡ）をサポートする。ＨＳＤＰＡおよびＨＳＵＰＡは、それぞれダウンリンクおよびアップリンクで高速パケットデータ伝送を可能にするチャネルと手順のセットである。
【００１６】
図２は、３ＧＰＰリリース６および７に対するレイヤ構造２００を例示する。レイヤ構造２００は無線資源管理（ＲＲＣ）レイヤ２１０、無線リンク制御（ＲＬＣ）レイヤ２２０、媒体アクセス制御（ＭＡＣ）レイヤ２３０、および物理（ＰＨＹ）レイヤ２４０を含む。ＲＲＣレイヤは呼の確立、維持、および終了を実行する。ＲＬＣレイヤはトランスペアレントなデータ転送、非送達確認型データ転送、送達確認型データ転送、上位レイヤで定義されるサービス品質（ＱｏＳ）の維持、および回復不能誤り通知のような上位レイヤへの種々のサービスを提供する。ＲＬＣレイヤは、ＵＥ１２０とネットワーク間のトラヒックデータおよびシグナリングの転送のための論理チャネル（例えば、専用トラヒックチャネル（ＤＴＣＨ）および専用制御チャネル（ＤＣＣＨ））のデータを処理し出力する。
【００１７】
ＭＡＣレイヤは、データ転送、無線資源およびＭＡＣパラメータの再割当、並びに測定値の報告のような上位レイヤへの種々のサービスを提供する。ＭＡＣレイヤはＭＡＣ-ｄ、ＭＡＣ-ｈｓおよびＭＡＣ-ｅｓのような種々のエンティティを含む。他のＭＡＣエンティティは、３ＧＰＰリリース６および７に説明されているが、簡単さのために図２には示さない。ＭＡＣ-ｄエンティティはトランスポートチャネルタイプの切換、論理チャネルのトランスポートチャネルへの多重化（Ｃ／Ｔ  ＭＵＸ）、暗号化、解読、およびアップリンクトランスポートフォーマット統合（ＴＦＣ）選択のような機能を提供する。ＭＡＣ-ｈｓはＨＳＤＰＡをサポートし、送信および再送信（ハイブリッド自動リピート／要求-ＨＡＲＱ）、並べ替え、並びに逆アセンブリのような機能を実行する。ＭＡＣ-ｅｓはＨＳＵＰＡをサポートし、ＨＡＲＱ、多重化、および発展型ＴＦＣ（Ｅ-ＴＦＣ）選択のような機能を実行する。ＭＡＣレイヤは、トランスポートチャネル（例えば、専用チャネル（ＤＣＨ）、拡張専用チャネル（Ｅ-ＤＣＨ）、および高速ダウンリンク共有チャネル（ＨＳ-ＤＳＣＨ））のデータを処理し、出力する。
【００１８】
物理レイヤはＭＡＣレイヤに対するデータおよび高位レイヤに対するシグナリングを転送するメカニズムを提供する。図２の種々のレイヤは、3GPP TS 25.301、名称“Radio Interface Protocol Architecture”（「無線インタフェイスプロトコルアーキテクチャ」）、２００７年６月、および3GPP TS 25.321、名称“Medium Access Control(MAC) protocol specification”（「媒体アクセス制御（ＭＡＣ）プロトコル仕様」）、２００７年６月、に詳細に記述されている。これらは公表されており、ここに参照として組み込まれる。
【００１９】
図２を参照して、ＵＥ１２０に対するデータは、ＲＬＣレイヤにおいて１つ以上の論理チャネルとして処理され得る。論理チャネルはＭＡＣレイヤにおいてＭＡＣ-ｄフローにマッピングされ得る。ＭＡＣ-ｄフローはＱｏＳフローとも呼ばれ、１つ以上のトランスポートチャンネルに多重化され得る。トランスポートチャンネルは１つ以上のサービス（例えば、音声、ビデオ、パケットデータなど）のためのデータを搬送し得る。トランスポートチャンネルは物理レイヤにおいて物理チャネルにマッピングされ得る。物理チャネルは、異なるチャンネル化符号でチャネル化され、符号領域において相互に直交している。
【００２０】
表１はＨＳＤＰＡおよびＨＳＵＰＡに対する物理チャネルを含み、３ＧＰＰリリース６および７におけるいくつかの物理チャネルの表である。
【表１】
0005518851.tif 000002
【００２１】
ＨＳＵＰＡにおいては、Ｅ-ＤＰＤＣＨはＥ-ＤＣＨトランスポートチャネルを搬送するために用いられる物理チャネルである。ＵＥと無線ネットワーク間のリンク上に０個、１個、またはいくつかのＥ-ＤＰＤＣＨがあり得る。Ｅ-ＤＰＣＣＨはＥ-ＤＣＨに関係する制御情報を送るために用いられる物理チャネルである。１リンクに多くとも１つのＥ-ＤＰＣＣＨがある。Ｅ-ＤＰＣＣＨおよびＥ-ＤＰＤＣＨは、ＨＳＵＰＡの高速データのためのそれぞれ制御およびデータチャネルである。Ｅ-ＨＩＣＨは、Ｅ-ＤＰＤＣＨで送られるパケットに対する肯定応答（ＡＣＫ）および否定応答（ＮＡＫ）を搬送する固定速度の専用ダウンリンク物理チャネルである。
【００２２】
Ｅ-ＡＧＣＨおよびＥ-ＲＧＣＨはＨＳＵＰＡにおける資源制御に用いられる許可チャネル（grant channel）であり、Ｅ-ＤＣＨ制御チャネルと呼ばれる。Ｅ-ＡＧＣＨはＥ-ＤＰＤＣＨに対する絶対許可値（absolute grant）を搬送する固定速度ダウンリンク物理チャネルである。ＨＳＵＰＡにおいては、Ｅ-ＤＰＤＣＨは先行して構成され、絶対許可値はＵＥがＥ-ＤＰＤＣＨに用い得る送信電力の大きさを示す。許可は変更されるかまたは無効にされるまで無期限に有効である。Ｅ-ＲＧＣＨはＥ-ＤＰＤＣＨに対する相対許可値（relative grant）を搬送する固定速度ダウンリンク物理チャネルである。相対許可値は現在の許可値からの変化、例えば現在の許可値のある量の増加または減少、を示す。一般に、許可チャネルは、リンクに対する無線資源としても知られる、無線ネットワークの許可値を伝達するために用いられるチャネルである。無線資源は時間、周波数、コード、送信電力、その他またはそれらの任意の組合せによって定量化され得る。
【００２３】
無線通信システムにおける１つの課題はＵＥの電力消費を最小にしつつ効率的データ伝送を提供することである。さらに、特にパケットデータ伝送は、無線ネットワーク上で転送されるべきトラヒックデータの「バースト性」によって特徴付けられる。詳細には、多量のデータが伝送される必要がある期間と、極めて少ない量のデータが伝送される必要があるかまたは全くデータを伝送する必要のない期間とが交互に起こる。本実施形態は広帯域（ＷＣＤＭＡ）無線ネットワークにおける使用を参照して説明されるだろう。その理由は、同じ原理が他のネットワークに適用され得ることが理解されるであろうにも拘わらず、トラヒック量の変動がＵＭＴＳ構成と密接に関係しているためである。
【００２４】
従って、いかなるＵＥデータも実際に伝送される必要がない場合でも、ＵＥと無線ネットワーク間の物理リンクを連続的に維持しておくことは、ＵＥにおける不必要な連続的電力消費につながる。逆に、物理リンクの維持は、新しいＵＥデータが発生する場合には、そのＵＥデータは付加的遅延なしに直ちに転送されることが可能であることを保証する。当然、それ故にチャネルの維持は好ましい。従って、ＵＥにおいて電力節約を可能にするための２つの主な方法がある。
【００２５】
１つの可能性は、低容量トラヒックを共通チャネルで送信および受信し、一方高容量トラヒックを専用チャネルで送信および受信することによる、チャネル形式切り換えを用いることである。１つの欠点は、共通チャネルおよび専用チャネルでの各伝送の前に新しいリンク同期を実行することが必要なことである。第２の可能性は、専用チャネルで「不連続」送信および受信を実行することを含む。１つの共通な不連続な方法は「ＤＰＣＣＨ不連続送信および受信（ＤＰＣＣＨ  ＤＴＲＸ）」と呼ばれる。
【００２６】
ＤＰＣＣＨ  ＤＴＲＸの目的は、専用物理制御チャネル（ＤＰＣＣＨ）での送信および受信をオフにし、ＵＥおよびネットワーク双方において多くの無線フレームに対し、「休止または待機モード」にすることである。不連続送信期間（「ＤＴＸ期間」）と呼ばれる標準区間において、送信機および受信機は動作状態になり、物理リンクの再同期を実行する。
【００２７】
図３は、種々の実施形態に従う種々の信号のフレームシーケンスを例示する。専用チャネル（ＤＣＨ）および対応する専用物理データチャンネル（ＤＰＤＣＨ）がアップリンクにおいて構成されない場合、すべてのデータは、拡張専用チャネル（Ｅ-ＤＣＨ）で送信される。このＥ-ＤＣＨは、拡張専用物理制御チャネル（Ｅ-ＤＰＣＣＨ）で送信されているＥ-ＤＣＨに関係する制御信号で拡張専用物理データチャンネル（Ｅ-ＤＰＤＣＨ）にマッピングされる。Ｅ-ＤＰＤＣＨおよびＥ-ＤＰＣＣＨは不連続であることが可能であり、また、送信されるべきデータがありかつその送信がネットワークにおいて許可されている場合にのみ送信される。アップリンクにおいて、Ｅ-ＤＰＤＣＨおよびＥ-ＤＰＣＣＨに加えて、連続専用物理制御チャネル（ＤＰＣＣＨ）および場合によってはＨＳ-ＤＳＣＨ（高速ダウンリンク共有チャネル）のための連続または不連続専用物理制御チャネル（例えば、アップリンク高速物理制御チャネル、ＨＳ-ＤＰＣＣＨ）が送信され得る。
【００２８】
アップリンクＤＰＣＣＨはレイヤ１（物理レイヤ）で生成される制御情報を搬送する。レイヤ１の制御情報は、例えばコヒーレント検波のためのチャネル推定をサポートする既知のパイロットビット、ダウンリンクＤＰＣＨ（専用物理チャネル）に対する送信電力制御（ＴＰＣ）、任意選択的フィードバック情報（ＦＢＩ）、および任意選択的トランスポートフォーマット統合識別子（ＴＦＣＩ）から成り得る。通常は、アップリンクＤＰＣＣＨは（ある期間に送信されるべきデータがない場合でも）連続的に送信され、また各無線リンクに対して１つのアップリンクＤＰＣＣＨがある。連続伝送がデータの連続フローに対して発生し得る一方、連続ＤＰＣＣＨ伝送はバースト性データフローに対しては顕著なオーバヘッドという結果になる。
【００２９】
アップリンク容量は、制御オーバヘッドを減少することによって、増加可能である。制御オーバヘッドを減少するための１つの可能性はアップリンクＤＰＣＣＨ「ゲーティング」（または不連続伝送）である。（すなわち、ＤＰＣＣＨで信号を連続的には送信しない）。ゲーティングを用いることの根拠には、（非限定的に）ユーザ機器（ＵＥ）の電力節約およびより長い電池寿命をもたらすことと、干渉抑圧をもたらすことと、より大きい容量をもたらすこと、とがある。
【００３０】
図３に例示するように、読み出し時間の大部分の間はＥ-ＤＣＨ伝送がない。このように、アップリンクにおけるＥ-ＤＣＨ伝送は読み出し時間の間不連続である。（特に、）パケット到着間隔に依存して、パケットセッションの期間中Ｅ-ＤＣＨ伝送には間隙があり得るが、Ｅ-ＤＣＨ伝送はパケットセッションの期間中は連続的でもあるだろうことに注意のこと。
【００３１】
また、高速専用物理制御チャネル（ＨＳ-ＤＰＣＣＨ）上の信号はＵＥからネットワークへアップリンク方向で送信されることが可能である。ＨＳ-ＤＰＣＣＨ信号は、通常はチャネル品質インジケータ（ＣＱＩ）報告情報を有する２スロット、およびＨＳＤＰＡに対するＡＣＫ／ＮＡＣＫ情報を有する１スロットを搬送する。ＣＱＩ伝送は、通常周期的であり、標準的にはＨＳ-ＤＳＣＨ伝送のアクティビティから独立している。ＣＱＩ報告周期は無線ネットワーク制御器（ＲＮＣ）によって、取り得る値０，２，４，８，１０，２０，４０，８０，および１６０ｍｓｅｃに制御可能である。ＡＣＫ／ＮＡＣＫはＨＳ-ＤＳＣＨ上のパケット伝送への応答としてのみ伝送される。（Ｅ-ＤＣＨと同様に）ＨＳ-ＤＳＣＨは、送信されるべきデータがある時にのみ送信され、また、読み出し時間およびパケットセッション期間中のパケット到着時間に依存する。
【００３２】
Ｅ-ＤＣＨ伝送において、非スケジュールＭＡＣ-ｄフローのための非スケジュール許可、またはスケジュール伝送のためのサービス許可（および許容された稼働中ＨＡＲＱ処理プロセス）のいずれかのような許可が必要である。スケジューリングＭＡＣ-ｄフローの例において、ノードＢはＵＥがいつ送信可能になるかを制御し、その結果、ノードＢはいつＵＥがデータを送り得るかを知ることになる。非スケジューリングＭＡＣ-ｄフローにおいては、ネットワークは所与のＭＡＣ-ｄフローに対するＭＡＣ-ｅ  ＰＤＵ（プロトコルデータユニット）に含まれることが可能な最大ビット数を許容することが可能である。２ｍｓｅｃ  Ｅ-ＤＣＨ伝送タイミング間隔（ＴＴＩ）の例において、各非スケジューリング許可はＲＲＣ（無線資源制御）によって指示されたＨＡＲＱ処理の特定のセットに対して適用可能である。また、ＲＲＣはスケジューリング許可が適用可能であるＨＡＲＱ処理のセットを制限することが可能である。
【００３３】
上述したように、パケットデータのＤＰＣＣＨオーバヘッドの縮小は、データを送信中でない場合、またはＨＳ-ＤＰＣＣＨを送信中でない場合、ＤＰＣＣＨ伝送をオフにすることによって起こり得る。従って、ＵＥはいかなるアップリンク無線インタフェイス資源も消費しないだろう、また、ネットワーク資源配分はいくつの待機ＵＥを維持可能であるかについて限界を設定するだろう。しかし、実用上の理由から、ＤＰＣＣＨのゲーティング期間の長さには限界があり得る。それは、長時間のＵＥの無動作の間に、アップリンクＵＥの同期が外れたかどうか、または単に長期の無動作期間があるかどうかを、ノードＢは知らないだろうからである。
【００３４】
基本原理は、Ｅ-ＤＣＨ伝送もＨＳ-ＤＰＣＣＨ伝送も無い場合、ＵＥは自動的に連続ＤＰＣＣＨ伝送を中止し、代わりに、図３に示すように、既知のＤＰＣＣＨ動作（ＤＰＣＣＨオン／オフ）パターン（すなわちゲーティングパターン）を適用するということである。Ｅ-ＤＣＨまたはＨＳ-ＤＰＣＣＨ伝送が行われる場合、ＤＰＣＣＨは動作パターンに関係なく送信される。すなわち、Ｅ-ＤＣＨおよびＨＳ-ＤＰＣＣＨの非稼働期間中に、ＵＥは、数個の無線フレーム毎に送信される数個のＤＰＣＣＨスロット３５０、３５２のような既知のＤＰＣＣＨ伝送パターン（すなわち、ゲーティングパターン）を起動させるであろう、そして他の期間中にはＤＰＣＣＨ伝送は行なわれない。Ｅ-ＤＣＨまたはＨＳ-ＤＰＣＣＨが送信される場合、ＤＰＣＣＨはパターンに関係なく標準的に送信されるだろう。ＤＰＣＣＨ伝送の間隙３５４の長さに依存して、Ｅ-ＤＣＨ／ＨＳ-ＤＰＣＣＨ伝送が開始され得る前に、数スロットのＤＰＣＣＨ制御プリアンブル３５６、３５８およびポストアンブル３６０、３６２が必要であり得る。ダウンリンクＨＳ-ＳＣＣＨ／ＨＳ-ＰＤＳＣＨの受信は、ＵＥにおいて常に稼働中であり、可能であるだろう。アップリンクＤＰＣＣＨが送信されない期間中、ノードＢはアップリンクＳＩＲ推定を実行できないだろう、その結果、Ｆ-ＤＰＣＨで送られたアップリンクＴＰＣ命令の根拠となる情報を有しない。したがって、Ｆ-ＤＰＣＨもアップリンクＤＰＣＣＨゲーティングの期間中にゲーティングされ得る。
【００３５】
アップリンク不連続モード（ＤＴＸ）によって、アップリンクにおけるＥ-ＤＣＨおよびＨＳ-ＤＰＣＣＨ伝送の起こる頻度に依存して、ＵＥにおけるアップリンクＤＰＣＣＨ伝送の自律的縮小が可能となる。このメカニズムはパラメータがＲＮＣ内に構成される規格化された規則によるネットワークの制御下にある。２つの異なる形式の不連続アップリンクＤＰＣＣＨプリアンブル伝送はアップリンクＤＴＸを適用するＵＥに対して区別されなければならない。第１に、プリアンブル３５６、３５８はアップリンクＤＰＣＣＨ信号３５０、３５２に適用される。しかし、非稼働閾値期間にわたっていかなるＥ-ＤＣＨ伝送も無かった場合、およびＵＥがＥ-ＤＣＨ伝送時間間隔（ＴＴＩ）にＥ-ＤＰＣＣＨおよびＥ-ＤＰＤＣＨ伝送を開始するであろう場合、ＵＥはポストアンブル３６８を含むＤＰＣＣＨ伝送３６４を、長プリアンブル３６６によって開始する。
【００３６】
長プリアンブル３６６は、任意のＥ-ＤＣＨ伝送の開始にも先立つ長プリアンブル３７２の長さの期間内のスロットの少なくとも対応する数である長プリアンブル決定点３７０で開始される。ＤＰＣＣＨ伝送３６４は、Ｅ-ＤＣＨ  ＴＴＩ３７４の期間中続き、最後の連続するＥ-ＤＣＨ  ＴＴＩの後にさらに１つのスロットを続ける。例えば、長プリアンブル３６６は、構成に依存して４倍または５倍のスロットのいずれかであることが可能であり、一方通常のプリアンブル３５６、３５８は１または２スロットの長さである。長プリアンブル３６４の伝送はプリアンブル３５６、３５８のいずれかよりも伝送のための電力を消費することに注意する。更なる詳細は、ここに参照として組み込まれる、www.ETSI.orgで入手可能な３ＧＰＰ技術仕様書TS25.214/TS25.321/TS25.331（リリース７）に記載されている。
【００３７】
従って、ＵＥがアップリンクでの伝送のためのデータを含む場合、ＵＥは、ＨＡＲＱ伝送に先立つ長プリアンブル（最大１５スロット）の必要伝送を含む、次に来るＨＡＲＱ処理（すなわち対応するＴＴＩ）における伝送の準備をする。長プリアンブルの期間中、ＵＥはサービス許可の更新、Ｅ-ＴＦＣＩ選択、ＭＡＣ-ｅｓ  ＰＤＵパッケージ化等を実行する。サービス許可の更新の１つの望ましくない結果は、サービス許可の更新手順が、ＵＥによる長プリアンブル３６６の処理内伝送であるにも拘わらず、次に来るＨＡＲＱ処理が非稼働にされる、と決定することである。ＴＴＩ（例えば、２ｍｓｅｃのスロット）に対するＨＡＲＱ処理の非稼働化は絶対許可のＩＮＡＣＴＩＶＥ値によって起こり得る。ＨＡＲＱ処理の非稼働化が長プリアンブル伝送期間中に起こる場合、長プリアンブルを送信するためにＵＥによって消費された電力は無駄であったし、また、アップリンクにおける不要なライズオブサーマル（rise of thermal（ＲｏＴ））が発生しており、これはアップリンク容量をさらに減少させる。
【００３８】
従って、種々の実施形態は、ネットワーク状態が次のＨＡＲＱ処理が発生しないだろうという見込みを示すとき、長プリアンブルの不必要な伝送を減少するための方法および装置を提供する。別の言い方をすれば、ＨＡＲＱ処理がおそらく非稼働化されないという信頼水準が十分である場合にのみ、ＵＥはアップリンクＤＰＣＣＨの長プリアンブルを送信することを決定する。
【００３９】
本方法および装置はＤＰＣＣＨ信号のための長プリアンブルの伝送期間中のＨＡＲＱ非稼働化に関連する予測係数の最適化および改良を提供する。アップリンク不連続（ＤＴＸ）Ｅ-ＤＣＨ伝送を最適化するために、ＵＥは、長プリアンブル決定点３７０に先立って、ＤＰＣＣＨの長プリアンブルが開始されるべきであるかまたは遅延されるべきであるかを決定するために、最近の過去の実績または履歴を含むこれらの予測係数を考慮する。最適化処理は以下の変数を定義する。
【００４０】
ＬＰ＝長プリアンブルトークン
ＢＵＦ＝ＵＥバッファが送られるべきデータを有しているか否か（０または１）
Ｐｒｉ＝送られるべきデータを有しているバッファのＭＡＣ-ｄフローの優先度
Ｖｏｌ＝バッファ内の量子化データ量
ＮＡＣＫ＝最後のＴ  ｍｓｅｃにわたって受信されたＥ-ＤＣＨ  ＨＡＲＱ  ＮＡＣＫまたはＡＣＫの平均数（ここでＴはＵＥ＿ＤＴＸ＿Ｃｙｃｌｅ＿２に依存して設定可能である）
ＧＲＡＮＴ＝最後のＴ  ｍｓｅｃにわたって受信された平均ＧＲＡＮＴ値（ここでＴはＵＥ＿ＤＴＸ＿Ｃｙｃｌｅ＿２に依存して設定可能である）
α、β、χ、およびω＝重み係数
ＢＵＦ＝｛０，１｝
ＵＥは、あり得る各Ｅ-ＤＣＨ  ＴＴＩに対して次式のようにＬＰを計算する。
【００４１】
ＬＰ＝ＢＵＦ＊（μ＊Ｄａｔａ＋χ＊ＮＡＣＫ＋ω＊ＧＲＡＮＴ）  式（１）
ここで、  μ＋χ＋ω＝１
【数１】
0005518851.tif 000003
【００４２】
ａ＋β＝１
ＮはＭＡＣ-ｄフローの最大数である。例えば、Ｎ＝８。
【数２】
0005518851.tif 000004
【００４３】
γ＋η＝１
ＮＡＣＫcur_srv_cell  ＝  現サービスセルから受信したｎ１個のＮＡＣＫ
ＮＡＣＫpre_srv_cell  ＝  先行サービスセルから受信したｎ２個のＮＡＣＫ
ＵＥは、ＬＰを計算後に、以下を決定する。
【００４４】
（１）  ＬＰ≧ＬＰｔｈｒｅｓｈｏｌｄの場合、ＵＥはＨＡＲＱ処理に先立って、「Ｌｏｎｇ＿Ｐｒｅａｍｂｌｅ＿Ｌｅｎｇｔｈ（長プリアンブル長）」のＵＬ  ＤＰＣＣＨ長プリアンブルを開始する。ＵＥの実施；ＭＡＣレイヤはレイヤ１にＵＬ  ＤＰＣＣＨ長プリアンブルを送るように通知する。
【００４５】
（２）  ＬＰ＜ＬＰｔｈｒｅｓｈｏｌｄの場合、ＵＥはＵＬ  ＤＰＣＣＨ長プリアンブルを開始しない。次に来るＨＡＲＱ伝送は発生しないだろう。バッファ内のデータ伝送は延期されるだろう。ＵＥの実施；ＭＡＣレイヤはレイヤ１にＵＬ  ＤＰＣＣＨ長プリアンブルを送らないように通知する。代替的に、長プリアンブルが既に開始済みの場合、ＵＥ  ＭＡＣは、好ましい状況と決定した結果としての長プリアンブルの実施中の伝送を中断するために、「ＡＢＯＲＴ  ＬＯＮＧ  ＰＲＥＡＭＢＬＥ」制御メッセージのようなメッセージをレイヤ１に送り得る。ここで、ＬＰｔｈｒｅｓｈｏｌｄは長プリアンブルトークンの閾値であり、設定可能である。
【００４６】
上記の実施形態は、バッファ内にデータがある、すなわちＢＵＦ＝１の時に起こる。これは、不要な計算のために不必要にＵＥの電力を消費することを回避するだろう。しかし、本実施形態は、例えば各フレーム境界において上記実施形態を実施することを排除しない。
【００４７】
以下に上式で用いられる予測係数を定義する。
【００４８】
ＢＵＦは（１）式の係数である。ＢＵＦはＵＥバッファが送られるべきデータを有しているか否か（０または１）を示す。図３に示すような各フレーム境界において、ＵＥは、バッファ内に送られるべきデータがあるかどうかをチェックする。データがある場合、ＵＥはＢＵＦ＝１を設定し、そうでなければ、ＢＵＦを０に設定する。ＢＵＦ＝０のとき、次に来るＨＡＲＱ処理のＤＰＣＣＨ長プリアンブルもＥ-ＤＣＨ伝送も無いだろう（しかし、アップリンクＤＰＣＣＨ短プリアンブルはＵＥ  ＤＴＸサイクル定義および構成に従って、なお発生する）。ＢＵＦ＝１のとき、長プリアンブルに対する決定処理は（１）式に従って行われる。
【００４９】
Ｐｒｉは、送られるべきデータを有するバッファのＭＡＣ-ｄフローの優先度である。送られるべきデータを有する複数のバッファがある場合、最優先度が調べられるだろう。優先度の正規化が必要である。ＭＡＣ-ｄフローの優先度に加えて、優先度はサービス／アプリケーションの優先度であることが可能である。ＵＥはＭＡＣ-ｄフローの優先度をサービス／アプリケーションの優先度にマッピングすることが可能である。Ｐｒｉは、送信されるべきデータの重要性と緊急性を指示する係数である。
【００５０】
ＶｏｌはＵＥのバッファ全体の中の量子化された（または、正規化された）データの量である。累積されたおよび前のＤＴＸサイクルからのデータも考慮される。
【００５１】
ＮＡＣＫは最後のＴ  ｍｓｅｃにわたって受信されたＥ-ＤＣＨ  ＨＡＲＱ  ＮＡＣＫまたはＡＣＫの平均数である。Ｔは、例えば、ＵＥ＿ＤＴＸ＿Ｃｙｃｌｅ＿２に依存して設定可能である。ＵＥ＿ＤＴＸ＿Ｃｙｃｌｅ＿２が長ければ、Ｔは長い。ＮＡＣＫは長期のアップリンクチャネル状態を示す係数である。状態が効率的に良くないときに、ＵＥは控えめに（conservatively）、そうでなければ積極的（aggressively）にアップリンクＤＰＣＣＨ長プリアンブルを開始し得る。ＮＡＣＫは１期間にわたって平均化され得る。ＮＡＣＫの値は正規化され得る。ＮＡＣＫは現セルにおいて得られた計数と前のサービスセルにおいて得られた計数との加重和であり得る。
【００５２】
ＧＲＡＮＴは最後のＴ２  ｍｓｅｃにわたる平均サービス許可である。Ｔ２は、ＵＥ＿ＤＴＸ＿Ｃｙｃｌｅ＿２に依存して設定可能である。ＵＥ＿ＤＴＸ＿Ｃｙｃｌｅ＿２が長ければ、Ｔ２は長い。ＧＲＡＮＴは、長期のシステム資源状態を示す係数である。状態が効率的に良くないときに、ＵＥは控えめに、そうでなければ積極的にアップリンクＤＰＣＣＨ長プリアンブルを開始し得る。ＧＲＡＮＴは、より最近の係数が現ネットワーク状態により良く合致するということを考慮して、１期間にわたって加重平均化され得る。例えば、１実施形態において、平均ＧＲＡＮＴは先行するＮ個のＧＲＡＮＴ値の指数関数的加重平均、
【数３】
0005518851.tif 000005
【００５３】
として計算されることが可能だろう。ここでａは加重係数０＜ａ＜１である。ＧＲＡＮＴの値は正規化され得る。ＧＲＡＮＴは、さらに、現セルにおいて得られた計数と前のサービスセルにおいて得られた計数との加重和であり得る。
【００５４】
図４は、種々の実施形態に従うアップリンクにおけるデータ送信のための一方法のフローチャートである。方法４００は、ネットワーク状態および資源が、データ伝送がブロックされるかまたは非稼働にされるであろうという見込みを示すと、制御信号、すなわち制御チャネル上の複数スロットの長プリアンブルの送信を少なくする。詳細には、一実施形態において、この見込みは、非稼働化されないと結論してデータを送信するためのＨＡＲＱ処理に基づく。質問４０２は不連続伝送モード（ＤＴＸ）間の伝送のためのデータ（Data）がメモリー５３２（図５）のバッファにあるかどうかを判定する。データ（Data）がある（Ｂｕｆ＝１）場合、４０４において、バッファ内のデータの優先度Ｐｒｉと量Ｖｏｌに一部基づいてデータ係数が計算される。
【００５５】
また、４０６において、処理は、最近の履歴におけるアップリンクチャネル状態を決定する。アップリンクチャネル状態の１つの特定のインジケータは、上で特定されたＮＡＣＫ係数である。このＮＡＣＫ係数は最後のＴ  ｍｓｅｃにわたって受信されたＥ-ＤＣＨ  ＨＡＲＱ  ＮＡＣＫまたはＡＣＫの平均数である。また、４０８において、処理はアップリンクシステム資源状態を決定する。アップリンクシステム資源状態の１つの特定のインジケータは、上で特定されたＧＲＡＮＴ係数である。このＧＲＡＮＴ係数は最後のＴ２  ｍｓｅｃにわたる平均サービス許可である。
【００５６】
４１０において、予測係数ＬＰが生成される。このＬＰはアップリンクで中断なしにバッファからデータを伝送することを完了する見込みの予測である。４１２において、予測係数ＬＰはＬＰｔｈｒｅｓｈｏｌｄと比較される。予測ＬＰが閾値を超えていない場合、４１４において、不連続（ＤＴＸ）モードのアップリンクの維持を続けるために、短プリアンブルが保持される。予測ＬＰがＬＰｔｈｒｅｓｈｏｌｄを超えている場合、４１６において、４１８のＨＡＲＱ処理の監視を伴う長プリアンブルの伝送が開始される。ＨＡＲＱ処理が非稼働にされない場合、４２０において、データがＥ-ＤＣＨ上で送信される。しかし、ＨＡＲＱ処理が非稼働にされる場合、４２２において、長プリアンブルは中断される。
【００５７】
図５は、ＵＥ１２０のブロック図を示す。アップリンクにおいて、符号器５１２は、アップリンクでＵＥ１２０によって送られるデータおよびシグナリングを入力し得る。符号器５１２はデータおよびシグナリングを処理（例えば、フォーマット、符号化、およびインタリーブ）し得る。変調器（Ｍｏｄ）５１４は、符号化されたデータおよびシグナリングをさらに処理（例えば、変調、チャネル化、およびスクランブル）し、出力チップを出力し得る。送信機（ＴＭＴＲ）５２２は、出力チップを調整（例えば、アナログへの変換、フィルタリング、増幅、および周波数アップコンバージョン）し、アップリンク信号を生成し得る。この信号はアンテナ５２４を介してノードＢへ送信され得る。
【００５８】
ダウンリンクにおいて、アンテナ５２４は、ノードＢ１１０および他のノードＢによって送信されたダウンリンク信号を受信し得る。受信機（ＲＣＶＲ）５２６は、アンテナ５２４からの受信信号を調整（例えばフィルタリング、増幅、ダウンコンバージョン、およびディジタル化）し、入力サンプルを出力し得る。復調器（Ｄｅｍｏｄ）５１６はサンプルを処理（例えば、デスクランブル、チャネル化、および復調）し、シンボル推定値を出力し得る。復号器５１８は、シンボル推定値をさらに処理（例えば、デインタリーブおよび復号）し、復号されたデータを出力し得る。符号器５１２、変調器５１４、復調器５１６および復号器５１８はモデムプロセッサ５１０によって実施され得る。これらのユニットは無線ネットワークによって用いられる無線技術（例えば、Ｗ-ＣＤＭＡ）に従って処理を実行し得る。
【００５９】
制御器／プロセッサ５３０はＵＥ１２０の種々のユニットの動作を指示し得る。制御器／プロセッサ５３０は図４の処理４００、および／または許可チャネルを監視するための他の処理を実施し得る。メモリー５３２はＵＥ１２０のためのプログラムコードおよびデータを格納し得る。
【００６０】
図５は、図１のノードＢ１１０およびアクセスゲートウェイ１３０のブロック図も示す。ノードＢ１１０は図１に示すノードＢのいずれかであり得る。ノードＢ１１０において、送信機／受信機５３８はＵＥ１２０および他のＵＥとの無線通信をサポートし得る。プロセッサ／制御器５４０はＵＥとの交信のための種々の機能を実行し得る。メモリー（Ｍｅｍ）５４２はノードＢ１１０のためのプログラムコードおよびデータを格納し得る。通信（Ｃｏｍｍ）ユニット５４４はアクセスゲートウェイ１３０との交信をサポートし得る。アクセスゲートウェイ１３０においては、プロセッサ／制御器５５０は、ＵＥに対する通信サービスをサポートするための種々の機能を実行し得る。メモリー５５２はノードＢ１１０のためのプログラムコードとデータを格納し得る。通信ユニット５５４はノードＢ１１０との交信をサポートし得る。
【００６１】
当業者は、情報および信号は種々の異なる技術および技法のいずれかを用いて表され得ることを理解するだろう。例えば、上の記述中に参照され得るデータ、指示、命令、情報、信号、ビット、シンボル、およびチップは、電圧、電流、電磁波、磁場もしくは磁性粒子、光学場もしくは光粒子、またはそれらの任意の組合せで表され得る。
【００６２】
当業者は、ここの開示に関連して説明された種々の例示的論理ブロック、モジュール、回路およびアルゴリズムのステップは、電子的ハードウェア、計算機ソフトウェア、またはその双方の組合せとして実施され得ることをさらに認識するだろう。ハードウェアとソフトウェアのこの互換性を明確に例示するために、種々の例示的構成要素、ブロック、モジュール、回路、およびステップは、ここまで、それらの機能の面から一般的に説明してきた。そのような機能がハードウェアまたはソフトウェアとして実施されるかどうかは、全体のシステムに課せられた特定の用途および設計制約に依存する。当業者は、説明した機能を各特定の用途に対して異なる方法で実施し得るが、そのような実施の決定が本開示の範囲からの逸脱を引き起こすと解釈されるべきではない。
【００６３】
ここの開示に関して説明された種々の例示的論理ブロック、モジュール、および回路は、汎用プロセッサ、ディジタル信号プロセッサ（ＤＳＰ）、特定用途向集積回路（ＡＳＩＣ）、プログラマブルゲートアレイ（ＦＰＧＡ）もしくは他のプログラム可能論理デバイス、個別ゲートもしくはトランジスタ論理、個別ハードウェア部品、またはここに説明した機能を実行するように設計されたそれらの任意の組合せで実施または実行され得る。汎用プロセッサは、マイクロプロセッサであり得るが、代替的にはプロセッサは、通常のメインプロセッサ、制御器、マイクロ制御器または状態機械であり得る。プロセッサはまた、計算デバイスの組合せ、例えばＤＳＰとマイクロプロセッサ、複数のマイクロプロセッサ、ＤＳＰコアと連係した１つ以上のマイクロプロセッサ、または任意の他のそのような構成として実施され得る。
【００６４】
ここの開示に関連して説明された方法またはアルゴリズムのステップは、直接ハードウェアで、プロセッサで実行されるソフトウェアモジュールで、またはその２つの組合せで具体化され得る。ソフトウェアモジュールはＲＡＭメモリー、フラッシュメモリ、ＲＯＭメモリー、ＥＰＲＯＭメモリー、ＥＥＰＲＯＭメモリー、レジスタ、ハードディスク、可搬形ディスク、ＣＤ-ＲＯＭ、または当業者に既知の任意の形式の記憶媒体の中にあり得る。代表的記憶媒体は、プロセッサが情報を記憶媒体から読み出しおよび情報を記憶媒体に書き込むことが可能なようにプロセッサに接続される。代替的には、記憶媒体はプロセッサの構成部品であり得る。プロセッサおよび記憶媒体はＡＳＩＣ内にあり得る。ＡＳＩＣはユーザ端末内にあり得る。代替的に、プロセッサおよび記憶媒体は個別部品としてユーザ端末内にあり得る。
【００６５】
１つ以上の代表的実施形態において、説明した機能はハードウェア、ソフトウェア、ファームウェア、またはそれらの任意の組合せで実施され得る。ソフトウェアで実施される場合、機能は、計算機可読媒体上の１つ以上の命令またはコードとして格納されるかまたは伝送され得る。計算機可読媒体は計算機記憶媒体および通信媒体の双方を含む。これらは１つの場所から他の場所への計算機プログラムの転送を容易にする任意の媒体を含む。記憶媒体は、汎用または専用計算機からアクセス可能な任意の利用可能な媒体であり得る。限定としてではなく、例として、そのよう計算機可読媒体は、ＲＡＭ、ＲＯＭ、ＥＥＰＲＯＭ、ＣＤ-ＲＯＭもしくは他の光ディスク記憶、磁気ディスク記憶もしくは他の磁気記憶デバイス、または所望のプログラムコード手段を命令もしくはデータ構造の形式で搬送もしくは格納するために用いられ、かつ汎用もしくは専用計算機または汎用もしくは専用プロセッサによってアクセス可能な任意の他の媒体、を含むことが可能である。また、いかなる接続も適切に計算機可読媒体と呼ばれる。例えば、ソフトウェアがウェブサイト、サーバ、または他のリモートソースから同軸ケーブル、光ファイバケーブル、撚り線、ディジタル加入者線（ＤＳＬ）、または赤外線、無線、およびマイクロ波のような無線技術を用いて伝送される場合、同軸ケーブル、光ファイバケーブル、撚り線、ディジタル加入者線（ＤＳＬ）、または赤外線、無線、およびマイクロ波のような無線技術は媒体の定義に含まれる。ディスク（ｄｉｓｋ）およびディスク（ｄｉｓｃ）はここに用いられると、コンパクトディスク（ＣＤ）、レーザーディスク（登録商標）、光ディスク、ディジタル多目的ディスク（ＤＶＤ）、フロッピー（登録商標）ディスクおよびブルーレイディスクを含む。ここでｄｉｓｋは通常、データを磁気的に再生し、ｄｉｓｃはレーザで光学的にデータを再生する。上記の組合せも、計算機可読媒体の範囲内に含まれるべきである。
【００６６】
本開示のこれまでの説明は、いかなる当業者も本開示を製造しまたは使用することを可能にするように提供されている。本開示への種々の変形は当業者に容易に明らかになるだろう。また、ここに定義した一般的原理は本開示の範囲から逸脱することなく他の変形例に適用され得る。したがって、本開示は、ここに説明した例および設計に限定されることを意図されていず、ここに開示した原理および新規な特徴に矛盾しない最も広い範囲に一致されるべきものである。
なお、下記において、出願時請求項１−３３の記載を付記１−３３として表記する。
[付記１]
アップリンクチャネル状態およびアップリンクシステム資源の少なくとも１つの過去の実績（performance）を追跡することと、
前記過去の実績に基づいて完全データ伝送（completed data transmission）の見込みを予測することと、
前記予測が閾値を超える場合には、アップリンク制御チャネルを用いて長プリアンブルを送信することと、
を含む、アップリンクでデータを送信する方法。
[付記２]
前記アップリンクチャネル状態は、定義された期間中の前記アップリンク上での先行のデータ伝送の肯定応答または否定応答の過去の実績を含む、付記１に記載の方法。
[付記３]
前記アップリンクシステム資源は、定義された期間中の前記アップリンク上での無線システムネットワーク資源の許可（grant）の過去の実績を含む、付記１に記載の方法。
[付記４]
前記過去の実績に基づいて完全データ伝送の前記見込みを予測することは、送信されるべきデータが存在するときにのみ予測することをさらに含む、付記１に記載の方法。
[付記５]
前記データの優先度の値に基づいて前記予測を重み付けすることをさらに含む、付記１に記載の方法。
[付記６]
前記データの量の値に基づいて前記予測を重み付けすることをさらに含む、付記１に記載の方法。
[付記７]
長プリアンブルを送信することは、前記予測が前記閾値を超えなくなる場合には、前記長プリアンブルの送信を中断することをさらに含む、付記１に記載の方法。
[付記８]
前記予測が前記閾値を超えない場合には、アップリンク制御チャネルを用いて短プリアンブルを送信することをさらに含む、付記１に記載の方法。
[付記９]
前記アップリンク制御チャネルは、第３世代パートナシッププロジェクト（３ＧＰＰ）システム内の専用物理制御チャネル（ＤＰＣＣＨ）である、付記１に記載の方法。
[付記１０]
前記長プリアンブルは、期間が４，７，または１５伝送時間間隔（ＴＴＩｓ）である、付記１に記載の方法。
[付記１１]
アップリンクチャネル状態およびアップリンクシステム資源の少なくとも１つの過去の実績を追跡するため、並びに、前記過去の実績に基づいて完全データ伝送の見込みを予測するための少なくとも１つのプロセッサと、
前記予測が閾値を超える場合には、アップリンク制御チャネルを用いて長プリアンブルを送信するための送信機と、
を含む、アップリンクでデータを送信するための装置。
[付記１２]
定義された期間中の前記アップリンク上での先行のデータ伝送の肯定応答または否定応答の過去の実績を含む、前記アップリンクチャネル状態を格納するためのメモリーをさらに含む、付記１１に記載の装置。
[付記１３]
定義された期間中の前記アップリンク上での無線システムネットワーク資源の許可の過去の実績を格納するためのメモリーをさらに含む、付記１１に記載の装置。
[付記１４]
前記少なくとも１つのプロセッサが、送信されるべきデータが存在するときのみ予測する、付記１１に記載の装置。
[付記１５]
前記少なくとも１つのプロセッサは、前記データの優先度の値に基づいて前記予測をさらに重み付けする、付記１１に記載の装置。
[付記１６]
前記少なくとも１つのプロセッサは、前記データの量の値に基づいて前記予測を重み付けする、付記１１に記載の装置。
[付記１７]
前記予測が前記閾値を超えなくなる場合には、前記送信機が前記長プリアンブルの送信を中断する、付記１１に記載の装置。
[付記１８]
前記送信機は、前記予測が前記閾値を超えない場合には、アップリンク制御チャネルを用いて短プリアンブルをさらに送信する、付記１１に記載の装置。
[付記１９]
アップリンクチャネル状態およびアップリンクシステム資源の少なくとも１つの過去の実績を追跡するための手段と、
前記過去の実績に基づいて、完全データ伝送の見込みを予測するための手段と、
前記予測が閾値を超える場合には、アップリンク制御チャネルを用いて長プリアンブルを送信するための手段と、
を含む、アップリンクでデータを送るための装置。
[付記２０]
前記アップリンクチャネル状態は、定義された期間中の前記アップリンク上での先行のデータ伝送の肯定応答または否定応答の過去の実績を含む、付記１９に記載の装置。
[付記２１]
前記アップリンクシステム資源は、定義された期間中の前記アップリンク上での無線システムネットワーク資源の許可の過去の実績を含む、付記１９に記載の装置。
[付記２２]
前記過去の実績に基づいて、完全データ伝送の前記見込みを予測することは、送信されるべきデータが存在するときにのみ予測することをさらに含む、付記１９に記載の装置。
[付記２３]
前記データの優先度の値に基づいて前記予測を重み付けするための手段をさらに含む、付記１９に記載の装置。
[付記２４]
前記データの量の値に基づいて前記予測を重み付けするための手段をさらに含む、付記１９に記載の装置。
[付記２５]
長プリアンブルを送信するための前記手段は、前記予測が前記閾値を超えなくなる場合には、前記長プリアンブルの送信を中断するための手段をさらに含む、付記１９に記載の装置。
[付記２６]
前記予測が前記閾値を超えない場合には、アップリンク制御チャネルを用いて短プリアンブルを送信するための手段をさらに含む、付記１９に記載の装置。
[付記２７]
アップリンクでデータを送信する方法を実行するためのプロセッサ実行可能命令を含むプロセッサ可読媒体であって、前記方法は、
アップリンクチャネル状態およびアップリンクシステム資源の少なくとも１つの過去の実績を追跡するステップと、
前記過去の実績に基づいて完全データ伝送の見込みを予測するステップと、
前記予測が閾値を超える場合には、アップリンク制御チャネルを用いて長プリアンブルを送信するステップと、
を含む、プロセッサ可読媒体。
[付記２８]
前記アップリンクチャネル状態は、定義された期間中の前記アップリンク上での先行のデータ伝送の肯定応答または否定応答の過去の実績を含む、付記２７に記載のプロセッサ可読媒体。
[付記２９]
前記アップリンクシステム資源は、定義された期間中の前記アップリンク上での無線システムネットワーク資源の許可の過去の実績を含む、付記２７に記載のプロセッサ可読媒体。
[付記３０]
前記過去の実績に基づいて、完全データ伝送の前記見込みを予測するための前記プロセッサ実行可能命令は、送信されるべきデータが存在するときにのみ予測するためのプロセッサ実行可能命令をさらに含む、付記２７に記載のプロセッサ可読媒体。
[付記３１]
前記データの優先度の値に基づいて前記予測を重み付けするためのプロセッサ実行可能命令をさらに含む、付記２７に記載のプロセッサ可読媒体。
[付記３２]
前記データの量の値に基づいて前記予測を重み付けするためのプロセッサ実行可能命令をさらに含む、付記２７に記載のプロセッサ可読媒体。
[付記３３]
長プリアンブルを送信するための前記プロセッサ実行可能命令は、前記予測が前記閾値を超えなくなる場合には、前記長プリアンブルの送信を中断するためのプロセッサ実行可能命令をさらに含む、付記２７に記載のプロセッサ可読媒体。
【図１】
0005518851.tif 000006
【図２】
0005518851.tif 000007
【図３】
0005518851.tif 000008
【図４】
0005518851.tif 000009
【図５】
0005518851.tif 000010